(57)【要約】【課題】握りやすく、簡易にシャフトの長さを調整できるゴルフクラブを提供する。【解決手段】ゴルフクラブ１は、ヘッド付き下段シャフト１０と、グリップ付き上段シャフト２０と、回動阻止部材３０と、固定具４０とを有する。ヘッド付き下段シャフト１０は、下端にヘッド１１が取り付けられた円柱状の丸シャフト部１２と、丸シャフト部１２の上端の面から垂直に伸びる角柱状の角シャフト部１３とを有する。グリップ付き上段シャフト２０は上段シャフト部２１を有する。上段シャフト部２１は、円筒状であって、下端から内部に角シャフト部１３と丸シャフト部１２の一部とが挿入される。回動阻止部材３０は、所定の長さの円柱であって上段シャフト部２１の内周面に固定されており、中央部に縦孔を有する。角シャフト部１３はその縦孔を貫通する。固定具４０は、丸シャフト部１２を上段シャフト部２１の下端に固定し、また下端から解放することができる。【選択図】図１
2014161469.tif 000002
【特許請求の範囲】
【請求項１】
一端にヘッドが取り付けられた円柱状の丸シャフト部と、当該丸シャフト部の他端の面から垂直に伸びる角柱状の角シャフト部とを有するヘッド付き下段シャフトと、
内部が空洞の円筒状であって、一方の端部から当該内部に前記角シャフト部と前記丸シャフト部の一部とが挿入される上段シャフト部と、
前記上段シャフト部の内周面に固定された所定の長さの円柱であって、前記角シャフト部によって貫通された前記角シャフト部の横断面の形状と略一致する形状の縦孔を有する回動阻止部材と、
所定の操作により、前記丸シャフト部を前記上段シャフト部の一方の端部に固定し、当該一方の端部から解放することができる固定具と、
を備えることを特徴とするゴルフクラブ。
【請求項２】
前記ヘッド付き下段シャフトが前記上段シャフト部から引き抜かれることを防止する引抜防止手段を備えることを特徴とする請求項１に記載のゴルフクラブ。
【請求項３】
前記引抜防止手段は、前記角シャフト部の先端の面にビスによって固定されたワッシャーと、前記回動阻止部材とによって構成されることを特徴とする請求項２に記載のゴルフクラブ。
【請求項４】
前記丸シャフト部は、内部が空洞の円筒であり、
前記丸シャフト部の内部の空洞に挿入されており、前記丸シャフト部の他端に固定された円柱部を備え、
前記角シャフト部は、前記円柱部の一方の端の面から垂直に伸びる、
ことを特徴とする請求項１ないし３のいずれか１項に記載のゴルフクラブ。
【発明の詳細な説明】
【技術分野】
【０００１】
本発明は、ゴルフクラブに関する。
【背景技術】
【０００２】
老若男女を問わず手軽に楽しめるレジャースポーツとしてパークゴルフが普及している。パークゴルフでは、状況や距離を問わず１本のクラブの使用しか認められていない。そこで、特許文献１は、長い距離や短い距離あるいはパット等を打ち分けたり、プレーヤーの身長やフォームに合せたりするために、長短調節可能なパークゴルフ用ゴルフクラブを開示する。
このパークゴルフ用ゴルフクラブのクラブシャフトは３段式であり、上方からグリップ部、中段シャフト部、下段シャフト部からなる。上方から順次細くなり中段シャフト部はグリップ部に収納され、下段シャフト部は中段シャフト部に収納される。グリップ部と中段シャフト部の下端部にはストッパーが設けられている。ストッパーの操作レバーを操作して押し付け板をクラブシャフトに押し付けることにより各部が固定される。
また、このパークゴルフ用ゴルフクラブは、ボールがクラブヘッドに当たったときの衝撃によってクラブシャフトが周方向にねじれることを防止するために、クラブシャフトの横断面形状を全長に亘って略方形としている。
【０００３】
特許文献２は、プレーヤーの背丈や打球場所の地形等に応じてシャフトの長さを細かく調整することができるゴルフクラブを開示する。このゴルフクラブは、六角筒状のスライド筒の外周面をグリップ部が覆っている。グリップ部の外周の形状は円形であり、握り易い。スライド筒に六角形の横断面形状に形成されたシャフト上部が挿入される。この構造により、シャフトの周方向へのねじれが防止される。
このゴルフクラブでは、六角形状の頭部を有する所定の長さのねじがスライド筒とシャフト上部を長手方向に貫いている。このねじを回すと、シャフト上部がスライド筒の中をスライドし、ゴルフクラブの長さが変わる。
【０００４】
特許文献３には、大径パイプの先端に取り付けられ、大径パイプの中に挿入された小径パイプの外周面を挟持する伸縮パイプの固定装置が記載されている。
【先行技術文献】
【特許文献】
【０００５】
【特許文献１】特開２００３−２３０６４６号公報
【特許文献２】特開平９−２０１４３５号公報
【特許文献３】特開２００２−３９１２６号公報
【発明の概要】
【発明が解決しようとする課題】
【０００６】
特許文献１に記載のパークゴルフ用ゴルフクラブはグリップの外周の形状が略方形であるため、握りにくい。
特許文献２に記載のゴルフクラブのグリップは握りやすい。しかし、このゴルフクラブは長さを調整するためにねじを回す回転具が必要である。
【０００７】
本発明の目的は、握りやすく、簡易にシャフトの長さを調整できるゴルフクラブを提供することである。
【課題を解決するための手段】
【０００８】
上記目的を達成するために、本発明のゴルフクラブは、
一端にヘッドが取り付けられた円柱状の丸シャフト部と、当該丸シャフト部の他端の面から垂直に伸びる角柱状の角シャフト部とを有するヘッド付き下段シャフトと、
内部が空洞の円筒状であって、一方の端部から当該内部に前記角シャフト部と前記丸シャフト部の一部とが挿入される上段シャフト部と、
前記上段シャフト部の内周面に固定された所定の長さの円柱であって、前記角シャフト部によって貫通された前記角シャフト部の横断面の形状と略一致する形状の縦孔を有する回動阻止部材と、
所定の操作により、前記丸シャフト部を前記上段シャフト部の一方の端部に固定し、当該一方の端部から解放することができる固定具と、
を備えることを特徴とする。
【０００９】
好ましくは、本発明のゴルフクラブは、
前記ヘッド付き下段シャフトが前記上段シャフト部から引き抜かれることを防止する引抜防止手段を備えることを特徴とする。
【００１０】
好ましくは、
前記引抜防止手段は、前記角シャフト部の先端の面にビスによって固定されたワッシャーと、前記回動阻止部材とによって構成されることを特徴とする。
【００１１】
好ましくは、
前記丸シャフト部は、内部が空洞の円筒であり、
前記丸シャフト部の内部の空洞に挿入されており、前記丸シャフト部の他端に固定された円柱部を備え、
前記角シャフト部は、前記円柱部の一方の端の面から垂直に伸びる、
ことを特徴とする。
【発明の効果】
【００１２】
本発明によれば、握りやすく、簡易にシャフトの長さを調整できるゴルフクラブを提供することができる。
【図面の簡単な説明】
【００１３】
【図１】本発明の実施形態に係るゴルフクラブの構造の一例を示す縦断面図である。
【図２】丸シャフト部と角シャフト部の構造の一例を示す図である。（Ａ）下部に円柱部を有する角シャフト部の構造の一例を示す図である。（Ｂ）図１のＸ部拡大縦断面図の一例である。
【図３】図１のＡ−Ａ線横断面図である。
【図４】図１のＢ−Ｂ線横断面図である。
【図５】図１のＣ−Ｃ線横断面図である。
【図６】図１のＤ−Ｄ線横断面図である。
【図７】固定部材の構造の一例を示す図である。
【発明を実施するための形態】
【００１４】
以下、本発明の実施形態に係るゴルフクラブについて図面を参照しながら詳細に説明する。なお、実施形態を説明する全図において、共通の構成要素には同一の符号を付し、繰り返しの説明を省略する。
【００１５】
図１は、本発明の実施形態に係るゴルフクラブ１の構造の一例を示す。
ゴルフクラブ１は、ヘッド付き下段シャフト１０と、グリップ付き上段シャフト２０と、回動阻止部材３０と、固定具４０とを有する。
ヘッド付き下段シャフト１０は、ヘッド１１と、丸シャフト部１２と、角シャフト部１３と、ビス（ねじ）１４と、ワッシャー（座金）１５とで構成される。
ヘッド１１はボールを打つ打球面を備える。ヘッド１１は、丸シャフト部１２の下端に取り付けられる。
丸シャフト部１２は、所定の長さの円柱である。角シャフト部１３は、例えば横断面が正方形である所定の長さの正四角柱である。角シャフト部１３は、丸シャフト部１２の上端の面から垂直に伸びる。
【００１６】
丸シャフト部１２と角シャフト部１３は一体化されている。一体化した丸シャフト部１２と角シャフト部１３は、例えば円筒状の丸棒の上部を正四角柱状に削り出すことにより製造することができる。
また、丸シャフト部１２と角シャフト部１３を図２に示す構造とすることにより軽量化することができる。すなわち、丸シャフト部１２を内部が空洞の円筒にする。そして、角シャフト部１３を、図２（Ａ）に示すように、その下部の円柱部１６の上端の面（一方の端の面）から垂直に伸びる構造とする。円柱部１６の外径は、丸シャフト部１２の内径と略同じである。円柱部１６は側面に所定の数のねじ穴１７を有する。図２（Ｂ）に示すように、円柱部１６は、丸シャフト部１２の内部の空洞に上側から挿入され、皿ねじ１８をねじ穴１７にねじ込むことにより丸シャフト部１２の内周面上端に固定される。下部に円柱部１６を有する角シャフト部１３は、丸シャフト部１２の内部の空洞に挿入できる外径を有する丸棒の上部を正四角柱状に削り出すことにより製造することができる。
【００１７】
一体化した丸シャフト部１２と角シャフト部１３はその他にも様々な方法で製造することができる。例えば、丸シャフト部１２の上面に角シャフト部１３の横断面の形状と一致する正方形状の所定の深さの孔を設け、角シャフト１３の下部を埋め込んで溶接等することにより一体化してもよい。あるいは、所定の金型を用いてプラスチックを射出成形することにより製造してもよいし、金属を金型鋳造することにより製造してもよい。
【００１８】
ワッシャー１５は、ビス１４により角シャフト部１３の上端（先端）の面に固定される。ワッシャー１５は、後述するように、ゴルフクラブ１を伸張させるときヘッド付き下段シャフト１０がグリップ付き上段シャフト２０から抜けることを防止する。
【００１９】
グリップ付き上段シャフト２０は、上段シャフト部２１と、グリップ２２と、キャップ２３とを有する。
上段シャフト部２１は、内部が空洞の円筒状である。上段シャフト部２１の円筒の内部にその底面（一方の端部）側から角シャフト部１３と丸シャフト部１２の上部とが挿入される。図３に示すように、上段シャフト部２１の内径は、丸シャフト部１２をスライドさせることができる程度に、丸シャフト部１２の外径よりわずかに大きい。なお、上段シャフト部２１の横断面の大きさは上側から下側に向けて少しずつ小さくなっていてもよい。
図４に示すように、上段シャフト部２１の内周面と角シャフト部１３の側面との間には広い隙間があるが、後述するように、回動阻止部材３０と固定具４０とによってヘッド付き下段シャフト１０と、グリップ付き上段シャフト２０とのがたつきは抑止される。更に、図３に示すように、上段シャフト部２１の内周面と丸シャフト部１２の外周面との間にわずかな隙間しかないことによってもがたつきは抑止される。
【００２０】
グリップ２２は、図５と図６に示すように、上段シャフト部２１の上部を覆う。グリップ２２は、外周が円形であり、ゴム等の手になじみやすい材料で作られている。このため、プレーヤーにとってグリップ２２は握りやすい。
キャップ２３は、ワッシャー１５をビス１４により角シャフト部１３の上面（先端の面）に固定した後に上段シャフト部２１の内部を保護するために装着される。
【００２１】
回動阻止部材３０は、図５に示すように、所定の長さの円柱である。回動阻止部材３０の外径は上段シャフト部２１の内径と略同じである。図１に示すように、回動阻止部材３０は、所定の数のピン（ねじ）３１を用いて上段シャフト部２１の内周面に固定される。ピン３１の頭は、グリップ２２によって覆われており、外部からは見えない。
回動阻止部材３０は、図５に示すように、中央部に上下（上段シャフト部２１の軸方向）に伸びる縦孔３２を有する。縦孔３２の形状は、角シャフト部１３の横断面の形状と略一致する。ゴルフクラブ１において、角シャフト部１３は上段シャフト部２１に固定された回動阻止部材３０の縦孔３２を貫通している。これにより、ボールがヘッド１１に当たったときの衝撃等によってヘッド付き下段シャフト１０がグリップ付き上段シャフト２０に対して回動し、ゴルフクラブ１が周方向にねじれることが防止される。
【００２２】
図６に示すように、ワッシャー１５は縦孔３２よりも広い。ゴルフクラブ１を伸ばすとき、ワッシャー１５が回動阻止部材３０の上端に当たると、ゴルフクラブ１はそれ以上伸びない。このように、ワッシャー１５と回動阻止部材３０とは、ヘッド付き下段シャフト１０がグリップ付き上段シャフト２０から誤って引き抜かれることを防止する。ワッシャー１５と回動阻止部材３０とは、引抜防止手段の一例である。
【００２３】
図７は、固定具４０の構造の一例を示す。固定具４０は、特許文献３に従来技術として記載されているものである。
固定具４０は、挟持筒４１と、締付筒４２とを有する。
挟持筒４１は、一端４１ａが上段シャフト部２１の外周面下端に固定される。他端４１ｂの外周面はテーパ面４１ｃに形成されるとともに、他端４１ｂにはその先端で開口するスリット４１ｄが周方向に所定の間隔で設けられている。挟持筒４１の外周面の中ほどに雄ねじ部４１ｅが設けられている。
締付筒４２は、内周面の中ほどに雌ねじ部４２ａを有し、内周面の先端にテーパ面４２ｂを有する。雌ねじ部４２ａと雄ねじ部４１ｅとを螺合し、締付筒４２によって挟持筒４１を締め付けると、テーパ面４２ｂがテーパ面４１ｃを内方に向けて押圧する。これにより、スリット４１ｄの間に形成された挟持片４１ｆが丸シャフト部１２の外周面を挟持し、上段シャフト部２１と丸シャフト部１２とを固定する。このため、締付筒４２を回す操作によって、丸シャフト部１２を上段シャフト部２１の下端に固定し、また丸シャフト部１２を上段シャフト部２１の下端から解放することができる。
【００２４】
このように、固定具４０が上段シャフト部２１の下端と丸シャフト部１２とを固定するとともに、回動阻止部材３０が角シャフト部１３の回動を阻止する。このため、回動阻止部材３０と固定具４０とによってヘッド付き下段シャフト１０と、グリップ付き上段シャフト２０とのがたつきが抑止される。
【００２５】
なお、上述した実施形態では、角シャフト部１３は横断面が正方形である正四角柱状であるとしたが、回動阻止部材３０の縦孔３２が適合する形状を有していれば、角シャフト部１３は横断面が六角形である六角柱状等の異なる形状であってもよい。
また、上述した実施形態では、上段シャフト部２１の内径は丸シャフト部１２の外径よりわずかに大きいとしたが、上段シャフト部２１の内径は丸シャフト部１２の外径よりある程度大きくてもよい。
また、上述した固定具４０は一例であり、他の手段を用いて上段シャフト部２１と丸シャフト部１２とを固定してもよい。
【００２６】
以上説明したように、本発明が適用されたゴルフクラブは、握りやすく、固定具４０の挟持筒４１と締付筒４２とを緩めることにより簡易にシャフトの長さを調整することができる。
さらに、ワッシャー１５と回動阻止部材３０により構成される引抜防止手段により、ゴルフクラブ１を伸張させるときヘッド付き下段シャフト１０がグリップ付き上段シャフト２０から抜けることを防止することができる。
【００２７】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれる。
【符号の説明】
【００２８】
１…ゴルフクラブ、１０…ヘッド付き下段シャフト、１１…ヘッド、１２…丸シャフト部、１３…角シャフト部、１４…ビス、１５…ワッシャー、１６…円柱部、１７…ねじ穴、１８…皿ねじ、２０…グリップ付き上段シャフト、２１…上段シャフト部、２２…グリップ、２３…キャップ、３０…回動阻止部材、３１…ピン、４０…固定具、４１…挟持筒、４２…締付筒
【図１】
2014161469.tif 000003
【図２】
2014161469.tif 000004
【図３】
2014161469.tif 000005
【図４】
2014161469.tif 000006
【図５】
2014161469.tif 000007
【図６】
2014161469.tif 000008
【図７】
2014161469.tif 000009